(57)【要約】【課題】この発明は、梱包物を搬送後、折り畳んだ状態で回収される通い箱として使用でき、折り畳んだ状態で箱体内に空間が形成され、当該空間内に梱包物の使用済み包装資材を収容し、折り畳んだ箱と一体的に回収することこできる折畳箱を提供することを目的としている。【解決手段】この発明は、中間部（１０ａ）で折り曲げて折り畳みできる可折パネル（１０）の両側に端部パネル（１１、１１）を折曲げ可能に接合してなる第一側面板（８、８）を対向配置し、対向配置した第二側面板（９、９）の側縁に前記端部パネル（１１、１１）固定して箱体を形成し、第一側面板（８、８）を平面状に保ち箱体の組み立て状態を保持する保形手段を備え、第一側面板（８、８）を折り畳んだ際に端部パネル（１１、１１）と第二側面板（９、９）と可折パネル（１０、１０）とによって収容部（２２）を形成する折畳箱（７）によって目的を達成した。【選択図】　　　　図１
2004131160.tif 000002
【特許請求の範囲】
【請求項１】
対向配置した２枚の第一側面板と、対向配置した２枚の第二側面板とで構成される箱体であって、前記第一側面板は、中間部で折り曲げて折り畳みできる可折パネルの両側に端部パネルをそれぞれ折り曲げ可能に接合してなり、前記端部パネルのそれぞれを前記第二側面板のそれぞれの側縁に固定して箱体を形成し、前記第一側面板を折り畳んだ際に前記端部パネルと第二側面板と可折パネルとによって収容部が形成されることを特徴とするとする折畳箱。
【請求項２】
対向して配置した２枚の第一側面板と、該第一側面板に隣接して互いに対向して配置した２枚の第二側面板とからなる箱体であって、前記第一側面板は、第二側面板に連設固定した両側の端部パネルと、該両側の端部パネル間に位置する可折パネルとから構成したことを特徴とする折畳箱。
【請求項３】
第一側面板を平面状に保ち箱体の組み立て状態を保持する保形手段を備えたことを特徴とする請求項１又は２記載の折畳箱。
【請求項４】
保形手段は、対向配置された端部パネルの下端部に取り付け、第二側面板と平行に起立可能な底板であることを特徴とする請求項３記載の折畳箱。
【請求項５】
側面板は、可折パネルが箱体の内側に凸状となるように折畳まれることを特徴とする請求項１又は２記載の折畳箱。
【請求項６】
第二側面板の内面側に梱包物の支持材を着脱自在に取り付けたことを特徴とする請求項１又は２記載の折畳箱。
【請求項７】
第二側面板は、その上縁に回動自在に取り付けた蓋板を有すると共に、開蓋した当該蓋板を面一収納する蓋板収容部を外側面に備えていることを特徴とする請求項１又は２記載の折畳箱。
【発明の詳細な説明】
【０００１】
【発明の属する技術分野】
この発明は、家電製品やＯＡ機器の半完成品や外装部品（例えば、ケース、キャビネット）、液晶パネル用ガラス板、自動車のマフラーや曲面形状のサイドガラス、絵画等々、できるだけ他と接触しない状態で搬送することが必要とされる梱包物、更にはロール状になった箔、フィルム等、ロールの側面や端面を底板に接触しない状態で搬送することが求められる梱包物を梱包して搬送する通い箱として使用でき、梱包物を取り出して空状態となった通い箱は折り畳んだ状態で回収できる折畳箱であって、特に、折り畳んだ状態の箱体内に空間を有し、当該空間内に前記外装部品等の梱包物を包装していた使用済み包装資材を収容して回収することこできる折畳箱に関する。
【０００２】
【従来の技術】
従来、箱体の側面を構成するパネルを折り曲げたり、底板を跳ね上げたりして折り畳むことができる箱体は多数提案されている。
【０００３】
また、組み立てた一つの容器内に複数の折り畳んだ容器を効率よく収納できるようにして、空の容器の搬送コストの低減を図る折畳可能な容器の提案がされている（特開平８−１１８７７号公報）
【０００４】
【特許文献１】特開平８−１１８７７号公報
【０００５】
【発明により解決しようとする課題】
しかしながら、家電製品やＯＡ機器の半完成品、液晶パネル用ガラス板等は緩衝材と共に通い箱に梱包され、これらの緩衝材も繰り返し利用するために通い箱と同様に回収されることがあるにも拘わらず、前記従来の折畳箱では、組み立てた状態の折畳箱に緩衝材を詰めて回収しているのみであり、折り畳んだ状態の折畳箱に緩衝材を詰め、これらを一体にして回収することは行われていなかった。
【０００６】
すなわち、従来の折畳箱は、折畳箱自体をコンパクトに折り畳むことは考慮されているが、梱包物を包装していた緩衝材等（以下、「梱包資材」ということがある）を同時に回収することは何ら考慮されていないことから、梱包資材は別途トラック等に積み込んで回収することとなり、回収を行うトラックの積み込みスペースの効率等の点からは、必ずしも最良のものであるとはいえなかった。
【０００７】
また、電化製品の外装部品、液晶パネル用ガラス板等の梱包物は、両端部を支持材で支持した状態で箱に梱包される。この支持材は折畳箱の内面側に位置することになるが、電化製品の外装部品、ガラスパネル、液晶パネル等を取り出した後、支持材も取り出してしまわなければ折畳箱を折り畳むことはできなかった。
【０００８】
前記組み立てた一つの容器内に複数の折り畳んだ容器を収納する容器も、梱包物を包装していたビニール袋や緩衝材を同時回収することは考慮されておらず、この点では、他の折畳箱と同様の問題を有している。
【０００９】
【課題を解決するための手段】
この発明は、折畳箱を利用した通い箱から梱包物を取り出した後、通い箱を回収するために折り畳んだ状態としたときに、折り畳まれた側面板と他の側面板との間に間隔を形成し、当該間隔を梱包資材、支持材の収容部とすることができるようにして前記諸問題を解決したのである。
【００１０】
すなわち、この発明の折畳箱は、対向配置した２枚の第一側面板と、対向配置した２枚の第二側面板とで構成される箱体であって、前記第一側面板は、中間部で折り曲げて折り畳みできる可折パネルの両側に端部パネルをそれぞれ折り曲げ可能に接合してなり、前記端部パネルのそれぞれを前記第二側面板のそれぞれの側縁に固定して箱体を形成し、前記第一側面板を折り畳んだ際に前記端部パネルと第二側面板と可折パネルとによって収容部が形成されることを特徴とする折畳箱である。
【００１１】
あるいは、対向して配置した２枚の第一側面板と、該第一側面板に隣接して互いに対向して配置した２枚の第二側面板とからなる箱体であって、前記第一側面板は、第二側面板に連設固定した両側の端部パネルと、該両側の端部パネル間に位置する可折パネルとから構成したことを特徴とする折畳箱である。
【００１２】
ここで、前記側面板は、可折パネルが箱体の内側に凸状となるように折畳まれるようにすることが好ましい。このように可折パネルを折り畳めば折畳箱をコンパクトに折り畳むことができ、折畳箱を回収するときに便利である。
【００１３】
前記折畳箱は、対向配置した２枚の第二側面板に梱包物の支持材を夫々取り付け、第二側面板間にある程度の剛性を有する梱包物を狭着支持する場合や、対向配置した２枚の第一側面板に梱包物の支持材を夫々取り付け、第一側面板間にある程度の剛性を有する梱包物を狭着支持する場合には、当該梱包物によって組み立て状態が保持される。従って、折畳箱の組み立て状態を保持する保形手段は特には必要としないが、前記第一側面板を平面状に保ち箱体の組み立て状態を保持する保形手段を備えることができる。
【００１４】
前記保形手段は、例えば、対向配置された端部パネルの下端部に取り付け、第二側面板と平行に起立可能な底板を保形手段とすることができる。
【００１５】
また、前記第二側面板の内面側に梱包物の支持材を着脱自在に取り付けることができる。
【００１６】
さらに、当該第二側面板は、その上縁に回動自在に取り付けた蓋板を有する構成とすることができ、その外側面に開蓋した状態の前記蓋板を面一収納できる蓋板収容部を備える構成とすることもできる。
【００１７】
【発明の実施の形態】
この発明の実施の形態を図１、図１０に基づいて説明する。
【００１８】
この発明の折畳箱は、対向配置した２枚の第一側面板２、２と、対向配置した２枚の第二側面板３、３とによって箱体１を構成する。すなわち、第一側面板２と第二側面板３とは、互いに隣接して、略直角に配置されている（図１（ｂ））。
【００１９】
（１）　ここで、第一側面板２は、可折パネル４と、２枚の端部パネル５とからなっている。
【００２０】
（ｉ）　可折パネル４は中間部４ａで折り畳んで重畳できることが必要であり、折り畳まれる向きは、一方向にのみ凸状となるように限定されていることが好ましい。これは、なるべくコンパクトに箱体の外側に突起物がないように折り畳まれるべく、可折パネルは、前記対向配置した２枚の第二側面板３、３の間に、重畳した状態で収容されるべきものだからである。
【００２１】
（ｉｉ）　この可折パネル４、４は、折り畳み時は、二つに折り畳まれた中間部４ａ、４ａを付き合わせる状態で箱体１内に収容する構成とすることができる。このように中間部４ａ、４ａを付き合わせる状態で箱体内１に収容する構成とするためには、可折パネル４の幅（組み立てた状態の可折パネル４両側の端部パネル５、５間の距離に相当する）Ｌ１は、箱体１を折り畳んだときに中間部４ａ同士が接触しないように、第二側面板３の幅（対向配置した端部パネル５、５の間隔に相当する）Ｌ２と同じか、それ以下である必要がある。すなわち、一枚の可折パネル４を折り畳んだものは、第二側面板３の幅（対向配置した端部パネル５、５の間隔に相当する）Ｌ２の１／２以下の幅でなければならない（図１（ｂ））。
【００２２】
（ｉｉｉ）　また、可折パネル４、４は、図１０図示のように対向配置される端部パネルの幅を端部パネル５ａ、５ｂのようにその幅を変えれば折り畳まれた状態で干渉し合うことなく箱体１内に収容することができる。このような構成とすれば、一枚の可折パネル４を折り畳んだものの幅Ｌ３は、幾何学上、最大で第二側面板３の幅（対向配置した端部パネル５ａ、５ｂの間隔に相当する）Ｌ２まで拡大することができる（図１０）。長尺物を梱包するときには、このような構成とすることが有効である。
【００２３】
（２）　可折パネル４の両側縁には、端部パネル５、５が一枚ずつその接合部６、６を折畳可能に接合されている。端部パネル５が折り畳まれる向きは、可折パネル４が箱体１の内側に移動して折り畳まれる向きである。すなわち、第一側面板２は、第二側面板３、３に取り付けられていない状態で、屏風状に折り畳むことができる（図１（ａ））。
【００２４】
端部パネル５は、２枚の第二側面板３、３の側縁にそれぞれに連設固定されるので一つの箱体につき全部で４枚である。第二側面板３と端部パネルとの連設固定は、両者が略直角を成すように行う。これにより、一枚の第二側面板３とその両側に端部パネル５が一枚ずつ連設固定されて平面視コ字状が形成され、このコ字状を端部パネル側を向き合わせて両者間を２枚の可折パネル４で結合することによって箱体１が形成されている。
【００２５】
第二側面板３の内面側３ａには、梱包物の支持材１４が装着されるが、このように、可折パネル４を端部パネル５を介して折り畳み可能に第二側面板３に取り付けることによって、第二側面板３と折り畳まれた可折パネル４、４間に隙間が形成されるので、前記支持材１４を装着したままの状態で箱体１を折り畳むことができる。すなわち、可折パネル４、４を第二側面板３、３の側縁に直接折り畳み可能に接合していないので、支持材１４を装着したままでも折り畳まれた可折パネル４、４が支持材１４に干渉することなく、箱体１内に収容される。
【００２６】
また、一枚の第二側面板３とその両側に連設固定された端部パネル５、５によって形成された前記コ字状部分と折り畳まれた可折パネル４とによって囲まれる部分を梱包物を詰める収容部とする。
【００２７】
この収容部は、支持材及び梱包資材の収容ができる程度のスペースが確保されている必要がある。このため、収容部を形成するコ字状の大きさを決定する第二側面板３の高さ及び幅と、端部パネル５、５の高さ及び幅は、収容すべき支持材、梱包資材の大きさ、量を考慮して決定する。但し、第二側面板３、３の高さ及び幅は、梱包物の大きさ、数を第一義に考慮して決定されることは当然である。
【００２８】
（３）　前記第一側面板２、２は、可折パネル４の中間部４ａ、可折パネル４と端部パネル５、５との二カ所の接合部６、６が折り畳み可能となっているため、何らの保形手段をも備えていないと、第一側面板２、２が折れて箱体の体を成さなくなってしまう。そこで、第一側面板２を平面状に保ち箱体１の組み立て状態を保持する適当な保形手段を取り付ける。箱体１の組み立て状態を保持するために箱体１に梱包した梱包物を第一側面板の間隔、第二側面板の間隔を保持するための手段として機能させることもできるが、このような梱包物を梱包していない状態で箱体１の組み立て状態を保持するためには、箱体１自体になんらかの保形手段を備えていることが必要となる。
【００２９】
この保形手段は、四角形に組み立てられた箱体１の状態を保持できるように、対向配置された２枚の第一側面板２に同時に作用する形態とすれば、箱体の組み立て状態を強固に保持することができる。
【００３０】
２枚の第一側面板２に同時に作用する形態の保形手段として、対向配置された端部パネル５の下端部に取り付け、第二側面板３と平行に起立可能な底板を採用することができる。例えば、対向配置された端部パネル５、５の下端部に軸を通し、この軸に端部パネル５、５の配置間隔より僅かに狭い幅の底板を取り付けて、この底板を箱体１の組み立て時に可折パネル４、４が連設されている側へ傾倒させて底部とする。
【００３１】
これにより、軸が取り付けられた端部パネル５、５と可折パネル４との接合部６、６の折り畳みが２枚の第一側面板２、２においてそれぞれ拘束されるので、２枚の第一側面板２、２を同時に平面状に保ち、箱体を四角に組み立てた状態を保持することができる。
【００３２】
また、この保形手段は、四角形に組み立てられた箱体１の状態を保持できるように、可折パネル４の中間部４ａ、可折パネル４と端部パネル５、５との接合部６、６を拘束及び解除することができればどのような形態であってもよく、例えば、少なくとも可折パネル４と端部パネル５との二カ所の接合部６、６を拘束できれば第一側面板２を平面状に保てるので、可折パネル４と端部パネル５とに亘って架け渡す棒体のようなものを保形手段としてもよい。
【００３３】
このような保形手段は、２枚ある第一側面板２のうち１枚の第一側面板２にのみ作用させ、その第一側面板２を平面状に保つことができれば、箱体１を形成したときに箱体１の組み立て状態を保持することができるが、２枚の第一側面板２のそれぞれに対し、別個に作用するものであれば、四角形の箱体１の組み立て状態をより強固に保持することができる。
【００３４】
（４）　前記第二側面板３、３の内面側３ａ、３ａには、梱包物の支持材１４、１４が取り付けられる。この支持材の形状は、折畳箱内に収容される梱包物の形状に応じて変更されるものである。従って、梱包物に応じて支持材を取り替えることができるように着脱自在としておけば便利である。
【００３５】
但し、梱包物を取り出して、折畳箱を回収するときであっても、支持材１４、１４は第二側面板３、３から取り外す必要はない。
【００３６】
なお、折畳箱は、梱包物を支持材によって保持するときは、底板はとくに備えていなくてもよく、蓋板も必須とするものではない。
【００３７】
従って、底板、蓋板は、梱包物の性質、性格上、底板、蓋板を必要とするものであれば備え付ければよいし、梱包物の性質、性格上、底板、蓋板を必要としない場合であっても、底板、蓋板が備え付けられていても何ら問題はない。
【００３８】
底板を備えていれば、前記のように底板を保形手段として機能させることができるし、蓋板も、底板と同様に、箱体の組み立て状態の保形手段として機能させることは可能である。
【００３９】
【実施例１】
この発明の実施例を図面に基づいて説明する。
【００４０】
（１）　この発明の折畳箱７は、対向配置した２枚の第一側面板８、８と、対向配置した２枚の第二側面板９、９とによって箱体を構成している（図２）。
【００４１】
（２）　第一側面板８は、中間部１０ａで折畳可能な可折パネル１０の両側に端部パネル１１、１１をその接合部１３、１３で折畳可能に取り付けて構成されている。すなわち、可折パネル１０は、２枚の板体が中間部１０ａでヒンジ接合されて構成され、また、可折パネル１０と、端部パネル１１、１１も、接合部１３、１３でヒンジ接合されている。
【００４２】
端部パネル１１、１１の上端部間には蓋板１２、１２が第二側面板９の上縁に沿った軸を介して回転自在に取り付けられ、開閉できるようにしている。第一側面板８の上縁は蓋板１２の厚さに応じた段差８ａが設けてあるので、蓋板１２、１２は、その上面が第一側面板８、８の上縁と面一の状態で閉鎖できる。また、第二側面板９、９は、外側面に蓋板収容部９ａ、９ａが設けてあるので、蓋板１２、１２は、第二側面板９、９と面一の状態で折畳箱７をコンパクトに折り畳むことができる。
【００４３】
（３）　折畳箱７は、第二側面板９、９の内面側に支持材１４、１４を備えている。この支持材１４、１４は、その側縁に設けた溝１４ｂ、１４ｂと、端部パネル１１の内面側に設けたレール１８を係合させて、着脱自在に取り付けられている（図３）。
【００４４】
支持材１４、１４は、梱包物として薄型の電気製品の外装部品（キャビネット）２４（図５（ａ））を想定しており、外装部品（キャビネット）２４の両端を、支持材１４、１４の保持部１４ａ、１４ａを形成する溝に挟持させ、立てた状態で第一側面板８と略平行にして折畳箱７内に梱包するものである。なお、梱包物は個別にビニール袋で包まれ、適宜、発泡スチロール製の緩衝材が詰められる。
【００４５】
この支持材１４は、着脱自在であるので、梱包物の形状に応じて、適宜、図４図示の他の支持材１５、１６、１７と取り替えて使用する。
【００４６】
支持材１５（図４（ａ））は、支持部１５ａ、１５ａを形成する溝の幅が支持材１４の支持部１４ａを形成する溝の幅よりも狭く、液晶パネルやガラスパネルといった薄型の梱包物を梱包する際に使用する。
【００４７】
なお、支持材１４や支持材１５のように、溝によって支持部を形成する形態の支持材は、図８図示のように、一側の支持材３３ａと他側の支持材３３ｂとを組み合わせた状態で折り畳んだ状態の折畳箱に収容できる支持材３３とすることができる。
【００４８】
支持材１６（図４（ｂ））は、紙や箔等をロール状に巻いた梱包物（以下、単に「ロール」とする。）を支持するものであり、対向する支持材１６、１６の対応する軸載置部１６ａ、１６ａにロールの軸を載置した状態で、折畳箱７内に梱包することができるものである。支持材１６は、２つのロールを並列したものを上下２段で梱包するので、４つのロールを梱包できる。
【００４９】
支持材１７（図４（ｃ））も、支持材１６と同様に紙や箔等をロール状に巻いた梱包物を支持するものであり、対向する支持材１７、１７の対応する軸載置部１７ａ、１７ａにロールの軸を載置した状態で、折畳箱７内に梱包することができるものである。支持材１７は、３つのロールを並列したものを３段で梱包するので、９つのロールを梱包できる。
【００５０】
なお、これらの支持材１５、１６、１７は、支持材１４と同様にその側縁に溝を設け、端部パネル１１の内面側に設けたレール１８を係合させて、着脱自在に取り付けることができるが、図４（ａ）〜（ｂ）図示の支持材１５、１６、１７は、レール１８と第二側面板９との間に狭着して取り付けるようになっている。
【００５１】
（４）　折畳箱７は、２枚の底板２０、２０を備えている。この底板２０は、図３中、矢示２６、２７のように可動でき、第二側面板９と平行に起立可能に、その一側が対向配置された端部パネル１１、１１の下端部に取り付けられている。
【００５２】
底板２０は、伏せた状態となって底部を成すときに、可折パネル１０と端部パネル１１との接合部１３の折畳を拘束して可折パネル１０と端部パネル１１とが平面状を保つため、折畳箱７の四角形の組み立て状態を保持する保形手段として機能する。
【００５３】
ここで、保形手段として機能する底板２０、２０は、可折パネル１０の折畳可能な中間部１０ａには作用していないが、４カ所の接合部１３の折畳が拘束されるので各第一側面板８は、平面状に保たれ、折畳箱７も四角形に保持される。
【００５４】
なお、底板２０は、伏せた状態では、端部パネル１１、１１に取り付けられた端部とは反対側の端部が、可折パネル１０の中間部１０ａの両側下端部に夫々取り付けた底板受２１、２１上に載置されて水平状態が保たれる。
【００５５】
（５）　第二側面板９の下縁部には、矩形溝１９が２つ設けてある。この矩形溝１９は、フォークリフトによって折畳箱７を持ち上げるときに、安定して折畳箱７を持ち上げることができるようにフォークを差し入れる部分である。
【００５６】
（６）　また、第二側面板９の下縁部には、図６図示のように、フォークリフトのフォークから底板２０の基端側を保護する保護板２３、２３が取り付けてある。この保護板２３、２３には、その中間付近に凹部２３ａ、２３ａ（図６（ａ））が設けてあり、折畳箱７を折り畳んだときに、可折パネル１０の中間部１０ａの下端部に取り付けた底板受２１、２１を収容できるようになっている。
【００５７】
［梱包物の搬送］
前記のように構成される折畳箱７を用いた梱包物の搬送について図５、図６を参照しつつ、説明する。
【００５８】
折畳箱７は、図５（ａ）、図６（ｂ）のように組み立てた状態で、梱包物２４、２４を支持材１４、１４間に支持させ、緩衝材を敷き詰めた後、蓋板１２、１２を閉じる。
【００５９】
梱包物２４、２４を梱包した折畳箱７は、第二側面板９の下縁部に設けた矩形溝１９、１９（図２）にフォークリフトのフォークを差し入れて持ち上げ、トラック等に積み込まれて搬送されるが、複数の折畳箱７を上下に積み重ねて搬送することができる。
【００６０】
目的地まで搬送された折畳箱７は、トラック等に積み込まれたときと同様に、第二側面板９の下縁部に設けた矩形溝１９、１９（図２）にフォークリフトのフォークを差し入れて持ち上げ、トラック等から下ろされる。
【００６１】
折畳箱７は、その後蓋板１２、１２が矢示２５、２５のように開かれ、梱包物２４、２４が取り出される。
【００６２】
［折畳方法］
前記のように搬送され、梱包物が取り出された折畳箱７の折畳方法について図５、図６を参照しつつ、説明する。なお、図５（ａ）〜（ｂ）図示の折畳箱７の蓋板１２、１２は第二側面板９、９に収容された状態となっている。
【００６３】
図５（ａ）、図６（ａ）図示の折畳箱７は、底板２０を水平に伏せ、組み立てられた状態となっている。
【００６４】
この状態から、底板２０、２０を図３における矢示２６の方向、すなわち図６（ａ）中矢示２８、２８の方向に起立させると、図５（ｂ）のように、第二側面板９、９と平行な状態となる。この状態となると、底板２０、２０は、接合部１３、１３の拘束を解除することとなるので、可折パネル１０、１０は、折り畳めるようになり、内側凸状となり、平面視Ｖ字状をなすことができる（図５（ｂ））。
【００６５】
図５（ｂ）図示のＶ字状の状態から、可折パネル１０、１０を折畳箱７の内側に凸状となるように更に折り畳んでいくと、図５（ｃ）、図６（ｂ）図示のように、中間部１０ａを頂点として可折パネル１０が二重に重なり、折畳箱７を完全に折り畳むことができる。このとき、支持材１４、１４は、可折パネル１０、１０の折畳を邪魔しないので、取り外す必要はない。折畳箱７は、完全に折り畳まれた図５（ｃ）、図６（ｂ）図示の状態で支持材１４、１４と共に回収される。
【００６６】
折畳箱７は、図５（ｃ）、図６（ｂ）図示のように折り畳まれると、その内部に、第二側面板９、２枚の端部パネル１１、１１さらに折り畳まれた可折パネル１０、１０とによって囲まれた２つの収容部２２、２２を形成する。
【００６７】
このように形成された収容部２２、２２には、梱包物を包んでいたビニール袋や発泡スチロール製の緩衝材等の梱包資材２９を、図６（ｂ）図示のように、支持材１４、１４及び、底板２０、２０の上に載置するような状態で、詰め、収容することができる。
【００６８】
梱包資材２９が詰められた折畳箱７は、トラックに積まれて回収される。このとき、図６（ｂ）図示のような第二側面板９、９が垂直となる状態でトラックに積むこともできるが、この状態では重心が高く不安定となる場合がある。そこで、第二側面板９、９が載置面と平行となるように積み込めば、重心も低く、複数段に積み重ねて積み込むこともできる。このとき、蓋板１２、１２が第二側面板９、９の外側面と面一に収納されているので、積み重ねられた折畳箱７は、安定した状態を保つことが容易である。
【００６９】
【実施例２】
この発明の折畳箱７の他の実施例について図７を参照しつつ説明する。この実施例の折畳箱７自体は、実施例１の折畳箱７と同一であるので、共通の構成要素については同一の符号を付し、その説明を省略する。
【００７０】
この実施例が実施例１と異なる点は、薄型の電気製品の外装部品（キャビネット）２４を支持する支持材１４、１４（図５（ａ））に代えて、小型部品３１を複数個並べて載置できるように小型部品３１の底部の形状に対応した凹部３０ａを複数個備えた真空成形のトレー３０とした点である。
【００７１】
このトレー３０は、図７（ａ）図示のように凹部３０ａに小型部品３１を一つずつ載置して、これを６段重ねとし、組み立てられた状態の折畳箱７内に梱包され、搬送される。
【００７２】
小型部品３１を載置したトレー３０は、搬送後、折畳箱７から取り出し、ついで、小型部品３１を取り除いた後、図７（ｂ）図示のように３枚ずつ重ねられる。
【００７３】
図７（ｂ）図示のように梱包物が取り出された折畳箱７は、実施例１の折畳箱７と同様の要領で折り畳まれる。折畳箱７は、折り畳まれると収容部３２、３２が形成される。この実施例では支持材１４を装着していないことから、収容部３２の大きさは、実施例１の収容部２２よりも大きくなっている。この収容部３２、３２には図７（ｂ）図示のように３枚ずつ重ねられたトレー３０がそれぞれ収容される（図７（ｃ））。
【００７４】
トレー３０は、以上のように収容部３２に収容後、折畳箱７と一体的にトレー回収される。
【００７５】
【実施例３】
この発明の折畳箱７のさらに他の実施例について図９を参照しつつ説明する。なお、実施例１の折畳箱７と共通の構成要素については同一の符号を付し、その説明を省略する。
【００７６】
この実施例の折畳箱７が、実施例１の折畳箱７と異なる点は、実施例１における支持材１４、１４に代えて、支持材３５、３５を採用した点である。
【００７７】
支持材１４は、第二側面板９の内面側に取り付けられるもの（図２）であるのに対し、この支持材３５は、中間部１０ａで左右に分割される可折パネル１０の内側面の上部右側及び上部左側に夫々取り付けた小支持材３５ａ、３５ｂ及び底板２０、２０の第一側面板８、８側の端部に夫々取り付けた小支持材３５ｃ、３５ｄの４つの小支持材から構成されたものである。
【００７８】
すなわち、支持材１４、１４を採用した実施例１の折畳箱７は、梱包物を第一側面板８、８に平行に配置して梱包する形態であったが、この実施例の折畳箱７では、梱包物は第二側面板９、９に平行に配置して梱包される形態である。
【００７９】
図９（ｂ）は、底板２０、２０を途中まで引き起こした状態を示しているが、底板２０、２０に取り付けた小支持材３５ｃ、３５ｄは、端部パネル１１、１１側に移動することになる。
【００８０】
底板２０、２０が完全に引き起こされると、実施例１の折畳箱７における可折板１０、１０と同様に、小支持材３５ａ、３５ｂが取り付けられた可折板１０、１０も中間部１０ａ、１０ａで折り畳むことができ、小支持材３５ａ、３５ｂ、３５ｃ、３５ｄはどことも干渉することなく収納部３６、３６内に収容されて図９（ｃ）図示のように完全に折り畳んだ状態とすることができる。
【００８１】
以上、本発明の好ましい実施例を添付図面を参照して説明したが、本発明はかかる実施例に限定されるものではなく、特許請求の範囲の記載から把握される技術的範囲において種々な形態に変更可能である。
【００８２】
可折パネルを複数枚（例えば４枚）のパネルで構成し、これを屏風状に折り畳むようにすることもできる。このようにすると、折り畳まれて内側に凸状となった可折パネルの対向する頂部間にスペースが生じ、このスペースも収容部の一部として利用することができる。
【００８３】
【発明の効果】
この発明によれば、第一側面板を構成する端部パネルを第二側面板の両側縁に連設固定して、可折パネル折り畳んで箱体を折り畳むようにしたので、第二側面板の内面に取り付けられた梱包物の支持材を取り外すことなく、箱体を折り畳むことができる。
【００８４】
また、箱体は、折り畳んだときに、第二側面板と当該第二側面板の両側縁の端部パネルとによって、梱包物を包んでいたビニール袋や緩衝材等の梱包資材を詰めることができる収容部が形成される効果がある。これにより、梱包物を取り出し、折り畳んだ状態の折畳箱に梱包資材を詰めて持ち帰ることができ、再度折畳箱と共に使用される梱包資材を折畳箱と一体に取り扱いできる。
【００８５】
また、可折パネルを箱体の内側に凸状となるように折畳まれるようにしたので、折り畳んだ側面板が外部に突出することなくコンパクトに折り畳むことができる効果がある。
【００８６】
さらに、箱体の組み立て状態を保持する保形手段を備えているので、組み立て時に箱体が拉げてしまうことがなく、箱体を保ち、また、このような保形手段として対向配置された端部パネルの下端部に取り付け、第二側面板と平行に起立可能な底板を採用し、底板を保形手段として機能させたので、別途保形手段を設ける必要がなく、梱包物の下側を保護できる。
【００８７】
さらに、梱包物の支持材を着脱自在としたので、梱包物の形状に応じて支持材を取り替えることができ、一つの折畳箱で何種類もの梱包物を梱包し搬送することができる効果がある。
【００８８】
また、開蓋した蓋板を側面板と面一に収納できるようにしたので、蓋板を収納した側面板を下側にして載置し、安定した状態で積み重ねることができる効果がある。
【図面の簡単な説明】
【図１】（ａ）この発明の折畳箱の可折パネルが折り畳まれる状態を示す概念図である。
（ｂ）同じく箱体の四角形を保持した状態の概念図である。
【図２】この発明の実施例の拡大斜視図である。
【図３】同じく一部を破断して省略した斜視図である。
【図４】（ａ）図２図示の折畳箱に装着されている支持材に代えて装着される他の支持材の斜視図である。
（ｂ）同じく他の支持材の斜視図である。
（ｃ）同じく他の支持材の斜視図である。
【図５】図２図示の折畳箱の平面図であって、
（ａ）は、梱包物を梱包できるように折畳箱を組み立てた状態、
（ｂ）は、可折パネルを折り畳み途中でＶ字状とした状態、
（ｃ）は、完全に折り畳んだ状態である。
【図６】同じく折畳箱の正面縦断面図であって、
（ａ）は、梱包物を梱包できるように折畳箱を組み立てた状態、
（ｂ）は、完全に折り畳んだ状態である。
【図７】この発明の折畳箱の梱包物を梱包するためのトレーを採用した実施例の正面断面図であって、
（ａ）は、梱包物を梱包できるように折畳箱を組み立てた状態、
（ｂ）は、折畳箱から梱包物を取り出し、トレーを重ねた状態、
（ｃ）は、折畳箱を完全に折り畳み、重ねたトレーを折畳箱内に収容した状態である。
【図８】この発明の折畳箱に用いられる他の支持材の説明図であって、
（ａ）は、折畳箱を組み立てた状態、
（ｂ）は、折り畳んだ状態の折畳箱の一方の収容部へ一つにまとめた支持材を収容した状態である。
【図９】図２図示の折畳箱とは異なる位置に支持材を取り付けた実施例の正面断面図であって、
（ａ）は、梱包物を梱包できるように折畳箱を組み立てた状態、
（ｂ）は、底板を途中まで引き起こした状態、
（ｃ）は、完全に折り畳んだ状態である。
【図１０】図１図示の折畳箱とは異なる折畳箱の可折パネルが折り畳まれる状態を示す概念図である。
【符号の説明】
１　箱体
２、８　第一側面板
３、９　第二側面板
４、１０　可折パネル
５、１１　端部パネル
６、１３　接合部
７　折畳箱
１２　蓋板
１４、１５、１６、１７、３３、３５　支持材
１８　レール
１９　矩形溝
２０　底板
２１　底板受
２２、３２、３６　収容部
２３　保護板
２４　梱包物
２９　梱包資材
３０　トレー
【図１】
2004131160.tif 000003
【図２】
2004131160.tif 000004
【図３】
2004131160.tif 000005
【図４】
2004131160.tif 000006
【図５】
2004131160.tif 000007
【図６】
2004131160.tif 000008
【図７】
2004131160.tif 000009
【図８】
2004131160.tif 000010
【図９】
2004131160.tif 000011
【図１０】
2004131160.tif 000012